(57)【要約】【課題】携帯電話の所持者の周囲の状況に応じて、より適正に着信モードを自動的にマナーモードと通常モードの間で切り換えることが可能な携帯電話機を提供する。【解決手段】定期的に駆動され、自機の周囲に存在する他の携帯端末装置を特定する端末識別情報を検出する周囲端末装置検出部１９と、端末識別情報を記憶する記憶部２２と、過去の端末識別情報と、今回取得された端末識別情報とを用いて、自機の周囲状況を表す情報量を演算する周囲情報量演算部２０と、周囲情報量演算部２０により演算された情報量に基づいて、着信モードをマナーモードに設定するか通常モードに設定するかを切り換える着信モード切替部２１を備え、周囲の携帯端末装置の台数が多く、且つ、端末識別情報の変化量が少ないときにマナーモードに設定する。【選択図】図１
2014123847.tif 000002
【特許請求の範囲】
【請求項１】
定期的に駆動され、自機の周囲に存在する他の携帯端末装置を特定するための端末識別情報を検出する周囲端末装置検出手段と、
前記端末識別情報を記憶する記憶手段と、
前記記憶手段に記憶されている過去の端末識別情報と、今回取得された端末識別情報とを用いて、自機の周囲状況を表す情報量を演算する周囲情報量演算手段と、
前記周囲情報量演算手段により演算された前記情報量に基づいて、着信モードをマナーモードに設定するか通常モードに設定するかを切り換える着信モード切替手段を備えた携帯電話機。
【請求項２】
前記周囲端末装置検出手段は、通信機能を用いて自機の周囲に存在する他の携帯端末装置をスキャンし、前記端末識別情報は、自機の周囲に存在する他の携帯端末装置のＭＡＣ(Media Access Control)情報を用いることを特徴とする請求項１に記載の携帯電話機。
【請求項３】
前記周囲情報量演算手段は、前記記憶手段に記憶されている前回スキャンしたＭＡＣ情報と今回スキャンしたＭＡＣ情報を比較して、前記自機の周囲状況を表す情報量として、前回スキャンした周囲端末装置の台数又は今回スキャンした周囲端末装置の台数に対するＭＡＣ情報の変化の割合値を演算することを特徴とする請求項２に記載の携帯電話機。
【請求項４】
前記周囲情報量演算手段は、前記自機の周囲状況を表す情報量として、今回スキャンしたＭＡＣ情報から自機の周囲に存在する他の携帯端末装置の台数をカウントすることを特徴とする請求項３に記載の携帯電話機。
【請求項５】
前記周囲情報量演算手段は、前記自機の周囲状況を表す情報量として、自機が屋内にあるか又は屋外にあるかをさらに判断することを特徴とする請求項３に記載の携帯電話機。
【請求項６】
前記周囲情報量演算手段は、ＧＰＳ(Global Positioning System)の受信電力を用いて自機が屋内にあるか又は屋外にあるかを判断することを特徴とする請求項５に記載の携帯電話機。
【請求項７】
前記着信モード切替手段は、前記ＭＡＣ情報の変化の割合値と所定の割合閾値とを比較し、前記ＭＡＣ情報の変化の割合値は前記割合閾値未満で、且つ、前記他の携帯端末装置の台数と所定の台数閾値とを比較し、前記他の携帯端末装置の台数が前記台数閾値以上のときに、着信モードをマナーモードに設定することを特徴とする請求項４に記載の携帯電話機。
【請求項８】
前記着信モード切替手段は、前記ＭＡＣ情報の変化の割合値と所定の割合閾値とを比較し、前記ＭＡＣ情報の変化の割合値は前記割合閾値未満で、且つ、自機が屋内にあるときに、着信モードをマナーモードに設定することを特徴とする請求項５に記載の携帯電話機。
【請求項９】
前記着信モード切替手段は、電子メールの着信時に、一旦着信モードをマナーモードに設定し、その後、前記周囲情報量演算手段により演算された変化量に基づいて、着信モードを通常モードに切り換えるか否かを判断することを特徴とする請求項１乃至請求項８のいずれか一項に記載の携帯電話機。
【請求項１０】
前記着信モード切替手段は、電話の着信時に、一旦着信モードをマナーモードに設定し、その後、前記電話の着信の直前に設定されていた着信モードに設定することを特徴とする請求項９に記載の携帯電話機。
【発明の詳細な説明】
【技術分野】
【０００１】
本発明は、自動的にマナーモードの設定及び解除を行う携帯電話機に関する。
【背景技術】
【０００２】
従来から、ＧＰＳ機能などを利用して、携帯電話機の着信モードを自動的にマナーモードに切り換えることが提案されている。例えば特許文献１に記載された携帯電話機では、ＧＰＳによる位置検出により、携帯電話機を所持している人が移動しているか否かを判断し、さらに加速度センサにより、その移動が歩行であるのか、その他電車などによる移動かを判断する。さらに、地図情報を用いて、交通機関の路線上を移動していると判断したときに、携帯電話機の着信モードを自動的にマナーモードに切り換える。
【先行技術文献】
【特許文献】
【０００３】
【特許文献１】特開２０１１−１７１９０８号公報
【発明の概要】
【発明が解決しようとする課題】
【０００４】
特許文献１に記載された携帯電話機では、ＧＰＳによる位置検出を用いて所持者が公共交通機関を利用しているか否かを判断するため、例えば、時間調整のために長時間にわたり停車中の電車内や、渋滞に巻き込まれたバスの車内などにおいても、マナーモードが解除されてしまう可能性がある。また、タクシーが公共交通機関の路線に沿って移動している場合、電車やバスなどの公共交通機関を利用していなくても、マナーモードに設定されてしまうことになる。
【０００５】
本発明は、上記従来例の問題を解決するためになされたものであり、携帯電話の所持者の周囲の状況に応じて、より適正に着信モードを自動的にマナーモードと通常モードの間で切り換えることが可能な携帯電話機を提供することを目的とする。
【課題を解決するための手段】
【０００６】
上記目的を達成するため、本発明に係る携帯電話機は、
定期的に駆動され、自機の周囲に存在する他の携帯端末装置を特定するための端末識別情報を検出する周囲端末装置検出手段と、
前記端末識別情報を記憶する記憶手段と、
前記記憶手段に記憶されている過去の端末識別情報と、今回取得された端末識別情報とを用いて、自機の周囲状況を表す情報量を演算する周囲情報量演算手段と、
前記周囲情報量演算手段により演算された前記情報量に基づいて、着信モードをマナーモードに設定するか通常モードに設定するかを切り換える着信モード切替手段を備える。
【０００７】
前記周囲端末装置検出手段は、通信機能を用いて自機の周囲に存在する他の携帯端末装置をスキャンし、前記端末識別情報は、自機の周囲に存在する他の携帯端末装置のＭＡＣ(Media Access Control)情報を用いることが好ましい。
【０００８】
前記周囲情報量演算手段は、前記記憶手段に記憶されている前回スキャンしたＭＡＣ情報と今回スキャンしたＭＡＣ情報を比較して、前記自機の周囲状況を表す情報量として、前回スキャンした周囲端末装置の台数又は今回スキャンした周囲端末装置の台数に対するＭＡＣ情報の変化の割合値を演算することが好ましい。
【０００９】
前記周囲情報量演算手段は、前記自機の周囲状況を表す情報量として、今回スキャンしたＭＡＣ情報から自機の周囲に存在する他の携帯端末装置の台数をカウントすることが好ましい。
【００１０】
前記周囲情報量演算手段は、前記自機の周囲状況を表す情報量として、自機が屋内にあるか又は屋外にあるかをさらに判断することが好ましい。
【００１１】
前記周囲情報量演算手段は、ＧＰＳ(Global Positioning System)の受信電力を用いて自機が屋内にあるか又は屋外にあるかを判断することが好ましい。
【００１２】
前記着信モード切替手段は、前記ＭＡＣ情報の変化の割合値と所定の割合閾値とを比較し、前記ＭＡＣ情報の変化の割合値は前記割合閾値未満で、且つ、前記他の携帯端末装置の台数と所定の台数閾値とを比較し、前記他の携帯端末装置の台数が前記台数閾値以上のときに、着信モードをマナーモードに設定することが好ましい。
【００１３】
前記着信モード切替手段は、前記ＭＡＣ情報の変化の割合値と所定の割合閾値とを比較し、前記ＭＡＣ情報の変化の割合値は前記割合閾値未満で、且つ、自機が屋内にあるときに、着信モードをマナーモードに設定することが好ましい。
【００１４】
前記着信モード切替手段は、電子メールの着信時に、一旦着信モードをマナーモードに設定し、その後、前記周囲情報量演算手段により演算された前記情報量に基づいて、着信モードを通常モードに切り換えるか否かを判断することが好ましい。
【００１５】
前記着信モード切替手段は、電話の着信時に、一旦着信モードをマナーモードに設定し、その後、前記電話の着信の直前に設定されていた着信モードに設定することが好ましい。
【発明の効果】
【００１６】
本発明の構成によれば、自己の周囲の携帯端末装置の台数がある閾値よりも少ない場合、周囲にあまり人がいないと考えられ、着信モードをマナーモードに設定する必要性は低いと考えられる。すなわち、このような状況下で着信音が鳴ったとしても、あまり周囲に人に迷惑はかからないので、着信モードを通常モードとすることができる。また、端末識別情報の変化の割合値が少ない場合、自機の携帯端末の所有者とその周囲の人の相対的な移動量が少なく、例えば映画館の客席に着席しているか、あるいは電車などで移動していると考えられる。そのため、着信モードをマナーモードに設定する必要性は高く、着信モードをマナーモードとすることができる。それに対して、端末識別情報の変化の割合値が多い場合、自機の携帯端末の所有者とその周囲の人の相対的な移動量が多く、例えば、自機の携帯端末の所有者が歩道上を歩いている場合などが想定される。この場合は、着信モードをマナーモードに設定する必要性はそれほど高くないので、着信モードを通常モードとすることができる。
【図面の簡単な説明】
【００１７】
【図１】本発明の一実施形態に係る携帯電話機のブロック構成図。
【図２】上記携帯電話機の第１動作例を示すフローチャート。
【図３】上記携帯電話機の第２動作例を示すフローチャート。
【図４】上記携帯電話機の第３動作例を示すフローチャート。
【発明を実施するための形態】
【００１８】
本発明の一実施形態に係る携帯電話機について説明する。図１は、本実施形態に係る携帯電話機１のブロック構成を示す。携帯電話機１は、入出力装置に１つとして、例えば液晶タッチパネルを備えている。液晶タッチパネルは画像表示部１１として機能し、携帯電話機の様々な機能を示すアイコンを表示したり、受信した電子メールを表示したり、カメラ（図示せず）で撮像した画像を受信したり、ワンセグＴＶの映像を表示したりするのに用いられる。また、液晶タッチパネルは入力部として機能し、画面上に表示されたキーボードなどのどの部分をユーザが操作したかを検出して、それに応じた信号を出力する。また、携帯電話機１は、本来の電話機能のための入出力装置として、マイクロホン１３とスピーカ１４を備えている。さらに、マナーモードのときに電話や電子メールの着信を知らせるための振動部１５を備えている。入出力制御部１６は、これら画像表示部１１、入力部１２、マイクロホン１３、スピーカ１４及び振動部１５などの入出力装置を制御する。また、通信制御部１７は、通信部１８を介して、基地局との間で電波による無線通信を行う。さらに、ＧＰＳ受信部２３は、ＧＰＳ衛星からの電波を受信して、受信したＧＰＳ信号は、自機の現在位置の特定などに使用される。
【００１９】
携帯電話機１は、本発明の目的である着信モードを通常モードとマナーモードとの間で自動的に切り換えるために、定期的に自機の周囲に存在する他の携帯端末装置を特定する端末識別情報を検出する周囲端末装置検出部１９と、周囲端末装置検出部１９から端末識別情報を取得し、自機の周囲の状況の変化量を演算する周囲情報量演算部２０と、周囲情報量演算部２０により演算された変化量などに基づいて、着信モードをマナーモードに設定するか通常モードに設定するかを切り換える着信モード切替部２１を備えている。
【００２０】
図２は、携帯電話機１の第１動作例のフローを示す。まず、周囲端末装置検出部１９は、定期的に（例えば数分間隔）、例えばBluetooth（登録商標）を用いて、自機の周囲にあるBluetooth（登録商標）対応の携帯電話機やタブレット端末装置などの携帯端末装置（以下、スキャンにより検出された携帯端末装置を「周囲端末装置」とする）をスキャンし、周囲端末装置の台数や周囲端末装置のＭＡＣ情報（端末識別情報）を検出する（＃１）。このスキャンには、通常１０〜２０秒程度の時間を要する。検出されたこれらのデータは、一旦記憶部２２に記憶される（＃２）。そして、周囲情報量演算部２０は、記憶部２２に記憶されている前回取得したＭＡＣ情報を読み出し（＃３）、前回のＭＡＣ情報と今回のＭＡＣ情報を比較する（＃４）。具体的には、前回スキャンした周囲端末装置のＭＡＣ情報と今回スキャンした周囲端末装置のＭＡＣ情報を比較し、不一致の数をカウントする。そして、前回スキャンした周囲端末装置の台数又は今回スキャンした周囲端末装置の台数に対するＭＡＣ情報の変化数の割合を演算する（＃５）。着信モード切換部２１は、演算された割合値を割合閾値と比較する（＃６）。
【００２１】
そして、ＭＡＣ情報の変化数の割合値が閾値未満の場合（＃６でＹＥＳ）、周囲情報量演算部２０は、今回検出したＭＡＣ情報から、周囲端末装置の台数をカウントし（＃７）、周囲情報量演算部２０は、カウント値と台数閾値と比較する（＃８）。そして、周囲端末装置の台数が台数閾値以上のときは（＃８でＹＥＳ）、着信モード切換部２１は、携帯電話機１の着信モードをマナーモードに設定する（＃９）。すなわち、携帯電話機１の着信モードが通常モードに設定されているときはマナーモードに切り換え、携帯電話機１の着信モードがマナーモードに設定されているときはそのままマナーモードを維持する。自機の周囲に台数閾値以上の周囲端末装置が存在し、且つ、周囲端末装置のＭＡＣ情報があまり変化していないときは、この携帯電話機１の所有者の周囲に比較的多くの人が存在し、且つ、それらの人達が移動していないので、例えば映画館の客席に着席しているか、あるいは電車などで移動していると想定される。従って、携帯電話機１の着信モードをマナーモードに設定する必要がある。
【００２２】
一方、ＭＡＣ情報が変化した割合値が割合閾値以上の場合（＃６でＮＯ）、この携帯電話機１の所有者とその周囲の人達は相対的に移動しており、携帯電話機１の所有者が歩道上などを歩いている場合などが想定される。あるいは、ＭＡＣ情報が変化した割合値が割合閾値未満であるけれども（＃６でＹＥＳ）、周囲端末装置の台数が台数閾値未満のときは（＃７でＮＯ）、周囲にあまり人がいないと考えられる。すなわち、このような状況下で着信音が鳴ったとしても、あまり周囲に人に迷惑はかからない。そのため、これら２つの場合、着信モード切換部２１は、携帯電話機１の着信モードを通常モードに設定する（＃１０）。
【００２３】
図３は、携帯電話機１の第２動作例のフローを示す。第２動作例では、ＧＰＳ受信部２３により受信したＧＰＳ衛星からのＧＰＳ信号の強度（受信電力）を利用して、この携帯電話機１が屋内にあるか又は屋外にあるかを判断する。図３において、ステップ＃１１〜＃１６は、図２におけるステップ＃１〜＃６と同じであるため、説明を省略する。
【００２４】
ＭＡＣ情報の変化した割合値が閾値未満の場合（＃１６でＹＥＳ）、ＧＰＳ受信部２３を起動してＧＰＳ衛星からのＧＰＳ信号を受信し（＃１７）、周囲情報量演算部２０は、受信したＧＰＳ信号の受信電力（強度）を電力閾値と比較する（＃１８）。一般的に、屋内にいる場合、ＧＰＳ衛星からのＧＰＳ信号は、建築物や車両を構成する構造材によって減衰されるので、ＧＰＳ信号の受信電力は低下する。従って、受信したＧＰＳ信号の受信電力が電力閾値未満の場合（＃１９でＹＥＳ）、周囲の人も移動しておらず、且つ、携帯電話機１の所有者が建築物の屋内又は車内にいるものと想定される。従って、携帯電話機１の着信モードをマナーモードに設定する（＃２０）。
【００２５】
一方、受信したＧＰＳ信号の受信電力が電力閾値以上の場合（＃１９でＮＯ）、周囲の人も移動していないけれども、携帯電話機１の所有者が屋外にいるものと想定される。このような状況下で着信音が鳴ったとしても、あまり周囲に人に迷惑はかからないと考えられるので、携帯電話機１の着信モードを通常モードに設定する（＃２１）。
【００２６】
図４は、携帯電話機１の第３動作例のフローを示す。上記携帯電話機１の第１動作例及び第２動作例は、実際に電話又は電子メールの着信があるか否かに拘わらず、定期的に実行され、周囲状況に応じて自動的にマナーモードが設定される。第３動作例では、それに加えて、電話又は電子メールの着信があったとき、携帯電話機１の着信モードを一旦マナーモードに設定し、その後、自機の周囲状況に応じて、通常モードに切り換えるか、マナーモードを維持するかを判断する。上記のように、周囲端末装置のＭＡＣ情報をスキャンするには、通常１０〜２０秒程度の時間を要する。一方、電話の着信があった場合、数秒以内に応答しなければ、送信相手は電話を切ってしまうか、あるいは、留守番電話モードに移行してしまう。従って、電話の着信があってから周囲端末装置のＭＡＣ情報をスキャンしている余裕はない。それに対して、電子メールの場合、この携帯電話機１の所有者に電子メールの着信があったことを通知するタイミングが１０〜２０秒程度遅れても、さほど問題はない。
【００２７】
そこで、電話又は電子メールの着信があると（＃３１）、着信モード切換部２１は、着信が電話であるか電子メールであるかに拘わらず、携帯電話機１の着信モードを一旦マナーモードに設定する（＃３２）。そして、着信モード切換部２１は、着信が電話であるか電子メールであるかを判断する（＃３３）。着信が電話であるときは（＃３３でＹＥＳ）、この電話を着信する直前に設定されていた前回の着信モードがマナーモードであったか否かを判断する（＃３４）。前回の着信モードが通常モードであった場合（＃３４でＮＯ）、着信モードを通常モードに切り換え（＃３５）、スピーカ１４から着信音を出力して（＃３６）、所有者に電話の着信を知らせる。一方、前回の着信モードがマナーモードであった場合（＃３４でＹＥＳ）、そのまま着信モードをマナーモード維持したまま（＃３７）、振動部１５を駆動して（＃３８）、所有者に電話の着信を知らせる。
【００２８】
以上説明したように、本発明に係る携帯電話機によれば、周囲端末装置検出部１９により、例えばBluetooth（登録商標）を用いて、自機の周囲にあるBluetooth（登録商標）対応の携帯電話機やタブレット端末装置などの携帯端末装置を特定する、例えばＭＡＣ情報などの端末識別情報を検出し、周囲情報量演算部２０により、記憶部２２に記憶されている過去の端末識別情報と今回取得された端末識別情報とを用いて、例えば前回スキャンした周囲端末装置の台数又は今回スキャンした周囲端末装置の台数に対するＭＡＣ情報の変化数の割合、周囲端末装置の台数、ＧＰＳ信号の受信電力などの自機の周囲状況を表す情報量を演算し、着信モード切替部２１は、周囲情報量演算部２０により演算された情報量に基づいて、着信モードをマナーモードに設定するか通常モードに設定するかを切り換える。そのため、従来例と比較して、例えば長時間停車中の電車やバスの車内でマナーモードが解除されてしまう可能性はなくなる。また、タクシーが公共交通機関に路線に沿って移動している場合に、不必要にマナーモードに設定されることもない。
【００２９】
なお、本発明は上記実施形態の構成に限定されず、様々な変形が可能である。上記実施形態では、周囲端末装置をスキャンする手段としてBluetooth（登録商標）を用い、端末識別情報としてＭＡＣ情報を例示したが、携帯電話の基地局との通話状況などから、周囲端末装置の台数や電話番号などを用いても良い。また、自機が屋外にいるかあるいは屋内にいるかを判断するに当たって、携帯電話の基地局との通信状況や、ワンセグＴＶの受信状態などを利用することも可能である。さらに、携帯電話機の入出力装置は液晶タッチパネルに限定されず、従来の液晶表示装置とキーボードなどの組合せ、マイクロホンとスピーカによる音声入出力装置などであってもよい。
【符号の説明】
【００３０】
１  携帯電話機
１９  周囲端末装置検出部
２０  周囲情報量演算部
２１  着信モード切換部
２２  記憶部
２３  ＧＰＳ受信部
【図１】
2014123847.tif 000003
【図２】
2014123847.tif 000004
【図３】
2014123847.tif 000005
【図４】
2014123847.tif 000006